(57)【要約】【課題】帳票処理装置において、通帳処理と伝票処理とを短時間に処理でき、操作も簡易化できる技術の提供。【解決手段】搬送路を分岐後、合流させ、一方の分岐搬送路で通帳類の搬送と通帳情報の処理を行い、他方の分岐搬送路で伝票類の搬送と伝票情報の処理を行い、合流搬送路では通帳類と伝票類の印字を行う構成とする。両分岐搬送路は、装置に挿入された帳票が通帳類か伝票類かにより分岐点と合流点で切替え可能とし、通帳類、伝票類のいずれか一方につき印字を行った後、該一方を排出させずに装置内に退避させた状態で他方につき印字処理を行い、最後に、印字処理の終わった通帳類と伝票類の双方を挿入口から装置外に排出する構成とする。【選択図】  図１
2004154991.tif 000002
【特許請求の範囲】
【請求項１】
挿入された帳票を搬送し印字処理を行う帳票処理装置において、
挿入口から挿入された通帳類及び伝票類をさらに装置内部側に搬入可能な第１の搬送路と、該第１の搬送路から分岐し通帳類を搬送する第２の搬送路と、同じく第１の搬送路から分岐し伝票類を搬送する第３の搬送路と、該第２、第３の搬送路が合流した搬送路であって上記通帳類及び上記伝票類を搬送可能な第４の搬送路とを形成する搬送手段と、
上記第１の搬送路と上記第２の搬送路と上記第４の搬送路との接続または上記第１の搬送路と上記第３の搬送路と上記第４の搬送路との接続のいずれか一方を選択するゲート手段と、
上記第２の搬送路上に配され少なくとも上記通帳類の情報を処理する手段と、
上記第３の搬送路上に配され上記伝票類の情報を処理する手段と、
上記第４の搬送路上に配され上記通帳類及び上記伝票類に対し印字可能な印字手段と、
を備え、上記通帳類、上記伝票類のいずれか一方につき上記印字手段で印字処理を行い、該一方を上記搬送手段の搬送路上に退避させた状態で他方につき印字処理を行う構成としたことを特徴とする帳票処理装置。
【請求項２】
挿入された帳票を搬送し印字処理を行う帳票処理装置において、
挿入口から挿入された通帳類及び伝票類を装置内に搬入可能な第１の搬送路と、該第１の搬送路から分岐し通帳類を搬送する第２の搬送路と、同じく第１の搬送路から分岐し伝票類を搬送する第３の搬送路と、該第２、第３の搬送路が合流した搬送路であって上記通帳類及び上記伝票類を搬送可能な第４の搬送路とを形成する搬送手段と、
上記挿入口または上記第１の搬送路に設けられ通帳類または伝票類を判別する判別手段と、
上記第１の搬送路から上記第２、第３の搬送路が分岐する位置に設けられ、上記判別手段からの出力に基づき該第１の搬送路と該第２の搬送路との接続または該第１の搬送路と該第３の搬送路との接続のいずれかを選択する第１のゲート手段と、
上記第２、第３の搬送路が合流する位置に設けられ、上記判別手段からの出力に基づき該第２の搬送路と上記第４の搬送路との接続または該第３の搬送路と該第４の搬送路との接続のいずれかを選択する第２のゲート手段と、
上記第２の搬送路上に配され少なくとも上記通帳類の情報の光学的読取りと磁気記録とを行う手段と、
上記第３の搬送路上に配され上記伝票類の情報を画像認識のために取込む手段と、
上記第４の搬送路上に配され上記通帳類及び上記伝票類に対し印字可能な印字手段と、
を備え、上記通帳類、上記伝票類のいずれか一方につき上記印字手段で印字処理を行い、該印字処理した一方を上記第２の搬送路または上記第３の搬送路上に退避させた状態で他方につき印字処理を行い、該通帳類及び該伝票類を、上記搬送手段により搬送して上記挿入口から装置外に排出する構成としたことを特徴とする帳票処理装置。
【請求項３】
上記搬送手段は、上記印字手段により印字処理された上記通帳類を、上記第４の搬送路、上記第２の搬送路、上記第１の搬送路の順で復路搬送し、また、印字処理された上記伝票類を、上記第４の搬送路、上記第３の搬送路、上記第１の搬送路の順で復路搬送して、それぞれを上記挿入口から装置外に排出する構成である請求項１または請求項２に記載の帳票処理装置。
【請求項４】
挿入された帳票を搬送し印字処理を行う帳票処理装置において、
挿入口から挿入された通帳類及び伝票類をさらに装置内部側に搬入可能な第１の搬送路と、該第１の搬送路から分岐し通帳類を搬送する第２の搬送路と、同じく第１の搬送路から分岐し伝票類を搬送する第３の搬送路と、該第２、第３の搬送路が合流した搬送路であって上記通帳類及び上記伝票類を搬送可能な第４の搬送路とを形成する搬送手段と、
上記第１の搬送路と上記第２の搬送路と上記第４の搬送路との接続または上記第１の搬送路と上記第３の搬送路と上記第４の搬送路との接続のいずれか一方を選択するゲート手段と、
を備え、上記通帳類は、上記第１の搬送路、上記第２の搬送路及び上記第４の搬送路を往復搬送し、上記伝票類は、上記第１の搬送路、上記第３の搬送路及び上記第４の搬送路を往復搬送して、該通帳類、該伝票類のそれぞれに対し印字処理を行い、上記挿入口から排出する構成としたことを特徴とする帳票処理装置。
【請求項５】
挿入口から挿入された帳票を搬送し印字処理を行う帳票処理装置において、
上記挿入口から分岐して設けられ挿入された通帳類をさらに装置内部側に搬入可能な第１の分岐搬送路と、同じく該挿入口から分岐して設けられ挿入された伝票類をさらに装置内部側に搬入可能な第２の分岐搬送路と、該第１、第２の分岐搬送路が合流した上記通帳類及び上記伝票類を搬送可能な共用搬送路とを形成する搬送手段と、
上記挿入口と上記第１の分岐搬送路と上記共用搬送路との接続または上記挿入口と上記第２の分岐搬送路と上記共用搬送路との接続のいずれか一方を選択するゲート手段と、
上記第１の分岐搬送路上に配され少なくとも上記通帳類の情報を処理する手段と、
上記第２の分岐搬送路上に配され上記伝票類の情報を処理する手段と、
上記共用搬送路上に配され上記通帳類及び上記伝票類に対し印字処理可能な印字手段と、
を備え、上記通帳類を、上記挿入口、上記第１の分岐搬送路及び上記共用搬送路を往復搬送し、上記伝票類は、上記挿入口、上記第２の分岐搬送路及び上記共用搬送路を往復搬送して、該通帳類、該伝票類のそれぞれに対し印字処理を行う構成としたことを特徴とする帳票処理装置。
【発明の詳細な説明】
【０００１】
【発明の属する技術分野】
本発明は、挿入された帳票を搬送し印字処理を行う帳票処理装置に関する。
【０００２】
【従来の技術】
本発明に関連する従来技術としては、例えば、特開平１１−１６５４３３号公報（特許文献１）に記載されたものがある。該公報には、帳票印字装置として、業務能率を高めるべく、複数の顧客分の複数の通帳または複数の伝票の同時印字を行う装置構成として、搬送路の途中にその終端部分が排出口となっている分岐搬送路を設け、該分岐搬送路上に第１番目の通帳を印字する第１の印字機構部を配し、上記搬送路上には第２番目の通帳を印字する第２の印字機構部を配し、上記搬送路から上記分岐搬送路への分岐点には搬送路切換え用のゲートを設け、上記第１番目の通帳を装置内で一時退避させた後、第２番目の通帳が装置内を搬送されるのを待って該第１番目の通帳を上記分岐搬送路に送り込み、第１番目の通帳の上記第１の印字機構部による印字動作と第２番目の通帳の上記第２の印字機構部による印字動作とをほぼ同時に行うようにした構成が記載されている。複数の伝票の印字処理についても同様であるとされる。
【０００３】
【特許文献１】
特開平１１−１６５４３３号公報
【０００４】
【発明が解決しようとする課題】
上記の従来技術は、複数の顧客の複数の通帳のうちの奇数番目のものと偶数番目のものとをほぼ同時に印字処理または複数の伝票ののうちの奇数番目のものと偶数番目のものとをほぼ同時に印字処理するものであり、１人の顧客の通帳の印字と伝票の印字とを行う場合には適用されない。また、複数の印字機構部が必要であるため、コストも増大し易く、装置寸法も縮小化しにくい。さらに、通帳の挿入口と排出口が別個に設けられるため、使い勝手も悪く、この点からも装置の小型化を図りにくい。
本発明の課題点は、上記従来技術の状況に鑑み、通帳類や伝票類を処理する帳票処理装置において、（１）例えば１人の顧客が通帳処理と伝票処理とを行う場合にも短時間に処理できること、（２）操作を簡易化可能なこと、（３）製作コストの増大も抑えられること、（４）装置の小型化も可能であること、等である。
本発明の目的は、かかる課題点を解決できる技術の提供にある。
【０００５】
【課題を解決するための手段】
上記課題点を解決するために、本発明では、基本的に、帳票処理装置を、帳票搬送用の搬送路を分岐させるとともに、該分岐した搬送路を再び合流させる構成とし、帳票は１つの挿入口から挿入し、装置内で処理した後は該挿入口から装置外に排出する。一方の分岐搬送路で通帳類の搬送と通帳情報の処理を行い、他方の分岐搬送路で伝票類の搬送と伝票情報の処理を行い、合流搬送路では通帳類と伝票類の印字を行う構成とする。両分岐搬送路は、装置に挿入された帳票が通帳類か伝票類かにより分岐点と合流点で切替え可能とし、通帳類、伝票類のいずれか一方につき印字を行った後、該一方を排出させずに装置内に退避させた状態で他方につき印字処理を行い、最後に、印字処理の終了した通帳類と伝票類の双方を装置外に排出する構成とする。具体的には、帳票処理装置として、（１）挿入口（該当実施例：符号３）から挿入された通帳類及び伝票類をさらに装置内部側に搬入可能な第１の搬送路（該当実施例：符号４）と、該第１の搬送路から分岐し通帳類を搬送する第２の搬送路（該当実施例：符号６）と、同じく該第１の搬送路から分岐し伝票類を搬送する第３の搬送路（該当実施例：符号７）と、該第２、第３の搬送路が合流した搬送路であって上記通帳類及び上記伝票類を搬送可能な第４の搬送路（該当実施例：符号５）とを形成する搬送手段と、上記第１の搬送路と上記第２の搬送路と上記第４の搬送路との接続または上記第１の搬送路と上記第３の搬送路と上記第４の搬送路との接続のいずれか一方を選択するゲート手段（該当実施例：符号２４、２５）と、上記第２の搬送路上に配され少なくとも上記通帳類の情報を処理する手段（該当実施例：符号９、１０）と、上記第３の搬送路上に配され上記伝票類の情報を処理する手段（該当実施例：符号１１）と、上記第４の搬送路上に配され上記通帳類及び上記伝票類に対し印字可能な印字手段（該当実施例：符号８）とを備え、上記通帳類、上記伝票類のいずれか一方につき上記印字手段で印字処理を行い、該一方を上記搬送手段の搬送路上に退避させた状態で他方につき印字処理を行う構成とする。（２）挿入口から挿入された通帳類及び伝票類を装置内に搬入可能な第１の搬送路（該当実施例：符号４）と、該第１の搬送路から分岐し通帳類を搬送する第２の搬送路（該当実施例：符号６）と、同じく該第１の搬送路から分岐し伝票類を搬送する第３の搬送路（該当実施例：符号７）と、該第２、第３の搬送路が合流した搬送路であって上記通帳類及び上記伝票類を搬送可能な第４の搬送路（該当実施例：符号５）とを形成する搬送手段と、上記挿入口または上記第１の搬送路に設けられ通帳類または伝票類を判別する判別手段（該当実施例：符号４０）と、上記第１の搬送路から上記第２、第３の搬送路が分岐する位置に設けられ、上記判別手段からの出力に基づき該第１の搬送路と該第２の搬送路との接続または該第１の搬送路と該第３の搬送路との接続のいずれかを選択する第１のゲート手段（該当実施例：符号２４）と、上記第２、第３の搬送路が合流する位置に設けられ、上記判別手段からの出力に基づき該第２の搬送路と上記第４の搬送路との接続または該第３の搬送路と該第４の搬送路との接続のいずれかを選択する第２のゲート手段（該当実施例：符号２５）と、上記第２の搬送路上に配され少なくとも上記通帳類の情報の光学的読取りと磁気記録とを行う手段（該当実施例：符号９，１０）と、上記第３の搬送路上に配され上記伝票類の情報を画像認識のために取込む手段（該当実施例：符号１１）と、上記第４の搬送路上に配され上記通帳類及び上記伝票類に対し印字可能な印字手段（該当実施例：符号８）とを備え、上記通帳類、上記伝票類のいずれか一方につき上記印字手段で印字処理を行い、該印字処理した一方を上記第２の搬送路または上記第３の搬送路上に退避させた状態で他方につき印字処理を行い、該通帳類及び該伝票類を、上記搬送手段により搬送して上記挿入口（該当実施例：符号３）から装置外に排出する構成とする。（３）上記（１）または（２）において、上記搬送手段として、上記印字手段による印字処理後、上記通帳類を、上記第４の搬送路、上記第２の搬送路、上記第１の搬送路の順で復路搬送し、また、上記伝票類を、上記第４の搬送路、上記第３の搬送路、上記第１の搬送路の順で復路搬送して、それぞれを上記挿入口から装置外に排出する構成とする。（４）挿入口（該当実施例：符号３）から挿入された通帳類及び伝票類をさらに装置内部側に搬入可能な第１の搬送路（該当実施例：符号４）と、該第１の搬送路から分岐し通帳類を搬送する第２の搬送路（該当実施例：符号６）と、同じく第１の搬送路から分岐し伝票類を搬送する第３の搬送路（該当実施例：符号７）と、該第２、第３の搬送路が合流した搬送路であって上記通帳類及び上記伝票類を搬送可能な第４の搬送路（該当実施例：符号５）とを形成する搬送手段と、上記第１の搬送路と上記第２の搬送路と上記第４の搬送路との接続または上記第１の搬送路と上記第３の搬送路と上記第４の搬送路との接続のいずれか一方を選択するゲート手段（該当実施例：符号２４、２５）とを備え、上記通帳類は、上記第１の搬送路、上記第２の搬送路及び上記第４の搬送路を往復搬送し、上記伝票類は、上記第１の搬送路、上記第３の搬送路及び上記第４の搬送路を往復搬送して、該通帳類、該伝票類のそれぞれに対し印字処理を行い、上記挿入口（該当実施例：符号３）から排出する構成とする。（５）挿入口から分岐して設けられ挿入された通帳類をさらに装置内部側に搬入可能な第１の分岐搬送路と、同じく該挿入口から分岐して設けられ挿入された伝票類をさらに装置内部側に搬入可能な第２の分岐搬送路と、該第１、第２の分岐搬送路が合流した上記通帳類及び上記伝票類を搬送可能な共用搬送路とを形成する搬送手段と、上記挿入口と上記第１の分岐搬送路と上記共用搬送路との接続または上記挿入口と上記第２の分岐搬送路と上記共用搬送路との接続のいずれか一方を選択するゲート手段と、上記第１の分岐搬送路上に配され少なくとも上記通帳類の情報を処理する手段と、上記第２の分岐搬送路上に配され上記伝票類の情報を処理する手段と、上記共用搬送路上に配され上記通帳類及び上記伝票類に対し印字処理可能な印字手段とを備え、上記通帳類を、上記挿入口、上記第１の分岐搬送路及び上記共用搬送路を往復搬送し、上記伝票類は、上記挿入口、上記第２の分岐搬送路及び上記共用搬送路を往復搬送して、該通帳類、該伝票類のそれぞれに対し印字処理を行う構成とする。
【０００６】
【発明の実施の形態】
以下、本発明の実施例につき、図面を用いて説明する。
図１〜図４は本発明の実施例の説明図である。図１は本発明の帳票処理装置の構成例を示す図、図２は図１の装置の動作状態例を示す図、図３は図１の装置の動作手順の説明図、図４は従来の装置における動作手順例を示す図である。
図１において、３０は帳票処理装置、１は伝票類、２は通帳類、３は挿入口、４は、挿入口の直後に設けられ伝票類１と通帳類２の搬送に共用される第１の搬送路、６は、第１の搬送路４から分岐し通帳類２を搬送するための第２の搬送路、７は、第１の搬送路４から分岐し伝票類１を搬送するための第３の搬送路、５は、第２の搬送路６と第３の搬送路７が合流し伝票類１と通帳類２の搬送に共用される第４の搬送路、８は、伝票類１と通帳類２に印字を行う印字手段、９は、通帳類２の頁情報等の情報の光学的読取りを行う光学読取り部、１０は、通帳類２の磁気データ情報の磁気記録を行う磁気記録部、１１は、伝票類１のサイズ、フォーマット、記録データを画像認識する画像取込み部、１２〜１９は、伝票類１、通帳類２をはさんで回転により搬送路４、６、７、５上を搬送するための搬送ローラ、２０〜２３は、伝票類１、通帳類２の搬送方向を案内する搬送ガイド、２４は、第１の搬送路４から第２の搬送路６、第３の搬送路７が分岐する位置に設けられた第１のゲート手段、２５は、第２の搬送路６、第３の搬送路７が合流する位置に設けられた第２のゲート手段、２６は通帳類２搬送用の駆動モータ、２７は伝票類１搬送用の駆動モータ、４０は、通帳類２または伝票類１をそれぞれの幅寸法等に基づき判別する幅検知センサ等の判別手段である。第１のゲート手段２４は、上記判別手段４０からの出力に基づき移動変位して、第１の搬送路４と第２の搬送路６とを接続するかまたは第１の搬送路４と第３の搬送路７とを接続する。第２のゲート手段２５は、判別手段４０からの出力に基づき移動変位して、第２の搬送路６と第４の搬送路５とを接続するかまたは第３の搬送路７と第４の搬送路５とを接続する。印字手段８は第４の搬送路５上に設けられ、光学読取り部９及び磁気記録部１０は第２の搬送路６上に設けられ、画像取込み部１１は第３の搬送路７上に設けられ、判別手段４０は、本実施例では第１の搬送路４上に設けられる。駆動モータ２６は、搬送ローラ１２〜１７を回転駆動する。また、駆動モータ２７は、搬送ローラ１８、１９を回転駆動する。駆動モータ２６、２７の駆動力は、ベルト（図示なし）やギヤ（図示なし）等の伝達手段を介して各搬送ローラに伝達される。搬送ローラ１３、１４駆動専用の駆動モータ（図示なし）や駆動モータ２６の駆動伝達を行うクラッチ機構（図示なし）を備えていてもよい。また第１のゲート手段２４、第２のゲート手段２５はそれぞれ、ソレノイド、モータ等のアクチュエータ（図示なし）からのリンク・カム機構（図示なし）等の伝達手段により、矢印２８、２９、３１、３２の方向に移動変位し、搬走路の接続を選択的に切替える。第１、第２のゲート手段２４、２５の図示の実線位置は通帳類２を搬送する場合の位置を示し、点線位置は伝票類１を搬送する場合の位置を示す。初期状態は通帳類２を搬送する場合と同じ実線位置である。
【０００７】
上記構成において、動作は以下のようになる。すなわち、
まず、エンドユーザにより、伝票類１または通帳類２は挿入口３から挿入されると、第１の搬送路４上で判別手段４０が、例えば、伝票類１の幅寸法３３と通帳類２の幅寸法３４を検知し、伝票類１か通帳類２かを判別する。判別手段４０は挿入口３の位置に設けてもよい。また、判別はエンドユーザが予め行い、伝票類１の処理か通帳類２の処理かを操作ボタン等で指示するようにしてもよい。判別手段４０からは該判別結果信号が出力され、該信号に基づきアクチュエータ（図示なし）が駆動される。アクチュエータは該信号の内容により、伝達手段を介して第１のゲート手段２４、第２のゲート手段２５を移動変位させる。例えば、上記挿入口３から最初に（装置が初期状態にあるときに）伝票類１が挿入された場合は、判別手段４０により判別結果信号として伝票類１に対応した信号が出力され、これに基づきアクチュエータは、第１のゲート手段２４は図示の点線位置すなわち第１の搬送路４と第３の搬送路７とを接続する位置となり、第２のゲート手段２５も図示の点線位置すなわち第３の搬送路７と第４の搬送路５とを接続する位置となる。また、上記挿入口３から最初に（装置が初期状態にあるときに）通帳類２が挿入された場合は、判別手段４０により判別結果の信号として通帳類２に対応した信号が出力され、これに基づきアクチュエータは、第１のゲート手段２４は図示の実線位置すなわち第１の搬送路４と第２の搬送路６とを接続する位置となり（初期状態が実線位置の場合は移動変位しない）、第２のゲート手段２５も図示の実線位置すなわち第２の搬送路６と第４の搬送路５とを接続する位置となる（初期状態が実線位置の場合は移動変位しない）。また、例えば、最初に伝票類１が挿入され、次に通帳類２が挿入された場合には、伝票類１の判別結果信号により、第１のゲート手段２４と第２のゲート手段２５はいずれも、まず、初期状態の実線位置から点線位置に移動変位し、次に、通帳類２の判別結果信号により、第１のゲート手段２４と第２のゲート手段２５は、上記点線位置から実線位置に移動変位する。伝票類１は、第１のゲート手段２４と第２のゲート手段２５によって接続された第１の搬送路４、第３の搬送路７、第４の搬送路５を順次搬送され、第３の搬送路７上では、画像取込み部１１により、サイズ、フォーマット、記録データを画像認識され、第４の搬送路５上では、印字手段８により所定の情報内容が印字される。また、通帳類２は、第１のゲート手段２４と第２のゲート手段２５によって接続された第１の搬送路４、第２の搬送路６、第４の搬送路５を順次搬送され、第２の搬送路６上では、光学読取り部９により頁情報等の情報の光学的読取りが行われるとともに、磁気記録部１０により磁気データ情報の磁気記録が行われ、第４の搬送路５上では、印字手段８により所定の情報内容が印字される。印字処理された伝票類１は、駆動モータ２６、２７の逆転駆動による搬送ローラ１２、１５〜１９の逆回転により、搬送路上を、第４の搬送路５、第３の搬送路７、第１の搬送路４の順で復路搬送され、最後に挿入口３から排出される。同様に、印字処理された通帳類１は、駆動モータ２６の逆転駆動による搬送ローラ１２〜１７の逆回転により、搬送路上を、第４の搬送路５、第２の搬送路６、第１の搬送路４の順で復路搬送され、最後に挿入口３から排出される。この時、駆動モータ２７は駆動させない。
【０００８】
図２は、図１の本発明の帳票処理装置において、先行処理した伝票類１を装置内の搬送路上に一時退避させた状態で、通帳類２を後続処理する場合の状態を示す。このとき、エンドユーザは最初に行う選択操作において伝票類１と通帳類２の両方の処理を行うことを選択指示したとする。
図２において、まず、伝票類１が挿入口３から挿入され、上記図１で説明したと同様にして、印字処理されるものとする。印字処理された伝票類１は、駆動モータ２６、２７の逆転駆動による搬送ローラ１２、１５〜１９の逆回転により、搬送路上を、第４の搬送路５、第３の搬送路７の順で復路搬送される。搬送位置検知センサ（図示なし）により、該伝票類１が該第３の搬送路７上の所定位置に達したことが検知されると、該検知信号に基づき駆動モータ２６、２７の駆動（逆転駆動）が停止され、かつ、アクチュエータ（図示なし）が制御され、第１のゲート手段２４、第２のゲート手段２５が図示の点線位置から実線位置へと移動変位される。該状態で伝票類１は該第３の搬送路７上の該所定位置に留まり、一時退避の状態となる（図２の状態）。この状態で通帳類２が挿入口３から挿入される。挿入後は、上記図１の説明で述べたと同様にして、駆動モータ２６の駆動による搬送ローラ１２〜１７の回転により、第１の搬送路４、第２の搬送路６、第４の搬送路５を往路搬送され、印字手段８により印字処理された後は、第４の搬送路５、第２の搬送路６、第１の搬送路４を復路搬送され、最後に挿入口３から排出される。通帳類２が排出されると、アクチュエータ（図示なし）が制御され、第１のゲート手段２４、第２のゲート手段２５が図示の実線位置から点線位置へと移動変位される。そして、駆動モータ２６、２７の駆動による搬送ローラ１２、１８〜１９の回転により、伝票類１は、上記退避状態を解かれ、第３の搬送路７を出て、第１の搬送路４を経、最後に挿入口から排出される。つまり、先行処理した伝票類１が装置内の搬送路上に残っている状態で通帳類２の後続処理を行い、後続処理後に双方を続けて挿入口３から装置外に排出する。通帳類２を先行処理し、伝票類１を後続処理する場合は、印字処理した通帳類２が復路搬送されて第２の搬送路６の所定位置に達したとき、搬送位置検知センサ（図示なし）により、これが検知され、該検知信号に基づき駆動モータ２６の駆動（逆転駆動）が停止され、かつ、アクチュエータ（図示なし）が制御され、第１のゲート手段２４、第２のゲート手段２５が図示の実線位置から点線位置へと移動変位される。該状態で該通帳類２は該第２の搬送路６上の該所定位置に留まり、一時退避の状態となる。この状態で伝票類１が挿入口３から挿入される。挿入後は、該伝票類１は、上記図１の説明で述べたと同様にして、駆動モータ２６、２７の駆動による搬送ローラ１２、１５〜１９の回転により、第１の搬送路４、第２の搬送路３、第４の搬送路５を往路搬送され、印字手段８により印字処理された後は、第４の搬送路５、第３の搬送路６、第１の搬送路４を復路搬送され、最後に挿入口３から排出される。該伝票類１が排出されると、アクチュエータ（図示なし）が制御され、第１のゲート手段２４、第２のゲート手段２５が図示の点線位置から実線位置へと移動変位される。そして、駆動モータ２６の駆動による搬送ローラ１２〜１４の回転により、通帳類２は、上記退避状態を解かれ、第２の搬送路７を出て、第１の搬送路４を経、最後に挿入口３から排出される。つまり、先行処理した通帳類２が装置内の搬送路上に残っている状態で伝票類１の後続処理を行い、後続処理後に双方を続けて挿入口３から装置外に排出する。この結果、エンドユーザによる１回の取引きにおいて、伝票類１と通帳類２の双方の処理が、簡易操作によりかつ短時間内で可能となる。
【０００９】
図３は図１の装置の動作手順の説明図、図４は、比較対象として従来の装置における動作手順例を示す図である。図３は、伝票類１を先行処理し、通帳類２を後続処理する場合の動作手順例である。
図３において、
（１）エンドユーザにより、最初に行う選択操作において伝票類１と通帳類２の両方の処理の選択がされる（ステップＳ３０１）。
（２）挿入される伝票類１を挿入口３から取込む（ステップＳ３０２）。
（３）取込んだ伝票類１を、第１の搬送路４、第３の搬送路７、第４の搬送路５の順で往路搬送し、第３の搬送路７上では画像取込み部１１により画像認識処理し、第４の搬送路５上では印字手段８により印字処理する（ステップＳ３０３）。
（４）後続処理として通帳類２の処理を行う選択がされているか否かを確認する（ステップＳ３０４）。
（５）通帳類２の後続処理の選択がされていない場合は、伝票類１を一時退避させずに、第１の搬送路４を経て、挿入口３から排出する（ステップＳ３０５）。
（６）初期状態に戻る（ステップＳ３０６）。
（７）通帳類２の後続処理の選択がされている場合は、印字処理後、伝票類１を復路搬送において一時退避させる（ステップＳ３０７）。
（８）通帳類２を挿入口３から取込む（ステップＳ３０８）。
（９）取込んだ通帳類２を、第１の搬送路４、第２の搬送路６、第４の搬送路５の順で往路搬送し、第２の搬送路６上では、光学読取り部９により頁情報等の情報の光学的読取り処理を行うとともに、磁気記録部１０により磁気データ情報の磁気記録処理を行い、第４の搬送路５上では、印字手段８により所定の情報内容を印字処理する（ステップＳ３０９）。
（１０）印字処理後、通帳類２を、第４の搬送路５、第２の搬送路６、第１の搬送路４の順で復路搬送し、挿入口３から排出する（ステップＳ３１０）。
（１１）通帳類２の排出後、第１、第２のゲート手段２４、２５を移動変位させるとともに搬送ローラの駆動により伝票類１の一時退避状態を解き、伝票類１を第１の搬送路４を経て挿入口３から排出する（ステップＳ３１１）。
（１２）初期状態に戻る（ステップＳ３１２）。
上記動作手順では、最初に行う選択操作において伝票類１と通帳類２の両方の処理の選択がまとめてされるため、１回の選択指示で済む。また、先行処理した伝票類１を排出せずに搬送路上に一時退避させた状態で、通帳類２の後続処理を行い、これが終了してから通帳類２と伝票類１とを続けて排出するため、初期状態に戻る動作も最後の１回にすることができる。このため、従来の装置における動作手順に比べ、動作ステップ数を減らせる。
【００１０】
図４は、従来の装置における動作手順例である。（ａ）は伝票類の処理手順の例、（ｂ）は通帳類の処理手順の例である。装置内で行う処理は本発明の実施例の場合と同じとしてある。例えば、先行処理として伝票類の処理を行い、後続処理として通帳類の処理を行おうとする場合、（ａ）の動作手順すなわちステップＳ４１１〜ステップＳ４１５の動作を行った後、（ｂ）の動作手順すなわちステップＳ４２１〜ステップＳ４２５の動作を行う。このため、伝票類の処理の選択と通帳類の処理の選択とをそれぞれ別個に２回行い、かつ、初期状態に戻る動作も、伝票類の排出後と通帳類の排出後の２回行う。
【００１１】
上記実施例構成によれば、帳票処理装置において、通帳処理と伝票処理とを短時間に処理できる。操作を簡易化できる。伝票類と通帳類それぞれにおいて、往路搬送と復路搬送とを同じ搬送路で行う構成のため、搬送機構、駆動系、制御系の構成を簡易化できる。使い勝手性も改善できる。製作コストの増大も抑えられる。装置の小型化も可能となる。
【００１２】
なお、上記実施例では、挿入口３の後に第１の搬送路４を配し、該第１の搬送路４から第２の搬送路６と第３の搬送路７に分岐する構成としたが、この他、例えば、該第１の搬送路４は設けず、第１のゲート手段２４を挿入口３の直後に設け、第２の搬送路６と第３の搬送路７を挿入口３の直後等該挿入口に直結する位置から分岐させる構成とし、他の部分は上記実施例の場合と同じにする構成もある。この場合、上記第２の搬送路６を第１の分岐搬送路、第３の搬送路７を第２の分岐搬送路、第４の搬送路５を共用搬送路と呼ぶこととする。該構成においては、第２の分岐搬送路（上記実施例の第３の搬送路７相当）を緩やかな立上がり構成とすることができるため、ここを搬送する伝票類を確実に搬送することができる。
【００１３】
【発明の効果】
本発明によれば、帳票処理装置において、通帳処理と伝票処理とを短時間に処理できる。操作も簡易化できる。
【図面の簡単な説明】
【図１】本発明の帳票処理装置の構成例を示す図である。
【図２】図１の装置の動作状態例を示す図である。
【図３】図１の装置の動作手順の説明図である。
【図４】従来の装置における動作手順例を示す図である。
【符号の説明】
１…伝票類、  ２…通帳類、  ３…挿入口、  ４…第１の搬送路、  ６…第２の搬送路、  ７…第３の搬送路、  ５…第４の搬送路、  ８…印字手段、  ９…光学読取り部、  １０…磁気記録部、  １１…画像取込み部、  １２〜１９…搬送ローラ、  ２０〜２３…搬送ガイド、  ２４…第１のゲート手段、  ２５…第２のゲート手段、  ２６、２７…駆動モータ、  ３０…帳票処理装置、  ４０…判別手段。
【図１】
2004154991.tif 000003
【図２】
2004154991.tif 000004
【図３】
2004154991.tif 000005
【図４】
2004154991.tif 000006